(57)【要約】      （修正有）【課題】従来のアイロン台は、非常に重く運びにくく、さらに、上面加熱システムが一体化されたアイロン台の製造はかなり複雑であり、通常のアイロン台を製造するよりも費用がかかり、また熱効率も低い。【解決手段】アイロン台のアイロン上面加熱装置１０は、アイロン台１３の上面１２に組み付けられる可撓性の平板部材１１と、前記平板部材１１に配設され前記平板部材１１の主要面１１ａ、１１ｂの少なくとも１つの面の少なくとも一部に影響を及ぼす加熱手段１４とを有する。好ましくは、アイロン上面加熱装置１０はアイロン台上面１２に可撓性の平板部材１１を迅速且つ取り外し可能に固定する固定手段を備える。【選択図】図１
2013085752.tif 000002
【特許請求の範囲】
【請求項１】
アイロン台(13)の上面(12)に組み付けられる可撓性の平板部材(11,111,211,220,311,411)と、
前記平板部材に設けられ、前記平板部材の少なくとも主要面(11a,11b)のうちの１つの面の少なくとも一部に影響を与える加熱手段(14,114,214,314,414)と、
を備えることを特徴とするアイロン台の上面加熱装置。
【請求項２】
アイロン台上面(12)に前記可撓性の平板部材(11)を迅速且つ取り外し可能に固定する固定手段を備えることを特徴とする請求項１に記載の上面加熱装置。
【請求項３】
前記可撓性の平板部材(11)は、フランネルからなることを特徴とする請求項１または２に記載の上面加熱装置。
【請求項４】
前記加熱手段(14)は、電気加熱ケーブル(15)、可撓性の平らな抵抗素子、または他の類似及び同等の素子からなることを特徴とする請求項１乃至３のいずれかに記載の上面加熱装置。
【請求項５】
前記固定手段は、前記アイロン台上面(12)の下に配置される伸縮性のある縁取り部材(17)を備えたカバー(16)によって形成されることを特徴とする請求項２乃至４のいずれかに記載の上面加熱装置。
【請求項６】
前記加熱手段(214)を支持する前記可撓性の平板部材(211)と組み合わされる、前記可撓性の平板部材(211)と同様に形成された可撓性の第２平板部材(220)を備え、
前記第２平板部材(220)は、前記加熱手段(214)が２つの前記平板部材(220,221)間に挟持されるように配置されていることを特徴とする請求項１乃至５のいずれかに記載の上面加熱装置。
【請求項７】
前記加熱手段(314)を有する前記平板部材(311)は、カバー(316)内に固定されることを特徴とする請求項１乃至６のいずれかに記載の上面加熱装置。
【請求項８】
前記加熱手段(414)は、前記可撓性の平板部材(411)と一体化されていることを特徴とする請求項１乃至７のいずれかに記載の上面加熱装置。
【請求項９】
前記加熱手段(14,114,214,314)は、縫製、加圧プレス、超音波溶接、接着結合等の中から選択される少なくとも１つの方法によって、前記加熱手段(14,114,214,314)を支持する前記可撓性の平板部材に固定されることを特徴とする請求項１乃至８のいずれかに記載の上面加熱装置。
【請求項１０】
前記加熱手段は、低エネルギー消費タイプであることを特徴とする請求項１乃至９のいずれかに記載の上面加熱装置。
【発明の詳細な説明】
【技術分野】
【０００１】
本発明は、アイロン台の上面加熱装置に関する。
【背景技術】
【０００２】
従来より、多くの公知のアイロン台の上面加熱装置がある。
【０００３】
アイロンをかけようとする衣類は、スチームを当てたり、スプレー容器、散水器、または他の類似手段など、アイロンとは別の他の手段により水を軽く噴霧されることがあり、アイロン台上面の加熱によってこのような衣類にしみ込んだ湿気が素早く蒸発する。
【０００４】
実際は、スチームが過剰に放出されたり、アイロンをかけようとする衣類の一部に噴霧した箇所がアイロンの熱から離れていると、スチームが当該衣類を冷却すると共に、全く不必要に湿らせたり、ぬらしたりしてしまう。
【０００５】
アイロン台上面を加熱するシステムは、大抵電気式であり、流体式の場合もある。
【０００６】
公知のシステムはアイロン台上部の構造体内に一体化される、またはアイロン台の上部または底部にしっかり固定されるという一般的な特徴を有する。
【０００７】
公知のシステムはアイロン台を効果的なものとするが、全体がアイロン台上面と、できるだけ邪魔にならないように平坦に折りたたみできるのが一般的な支持フレームとからなるため、アイロン台を非常に重く、運びにくいものとする。
【０００８】
さらに、上面加熱システムが一体化されたアイロン台の製造はかなり複雑であり、通常のアイロン台を製造するよりも費用がかかる。
【０００９】
公知の加熱装置のもう１つの欠点は、加熱層がアイロン台上面の下、即ちアイロンがけを行うためにアイロンが押圧する硬質の支持面を形成する平板状の部材の下にあるのが一般的であるという点にある。
【００１０】
このように、加熱層はアイロンをかけられる衣類から実際には比較的離間して配置され、加熱層とアイロンをかけられる衣類との間の低い熱伝導性を有する層の介在によってその効率が低下する。
【００１１】
公知の上面加熱装置のさらに他の欠点は、大抵の場合そうであるように、アイロン台上面が金属で作られた平板状の部材からなり、その支持体も金属で作られていると、アイロン台上面自体及び上面を支持するフレームの一部には、加熱手段によって発生した熱を保持したり分散したりする熱慣性が生じる。従って無駄に熱を分散させ、またアイロン台の一部を加熱して長時間熱いままにして、ユーザによるアイロン台の取り扱いをより一層問題のあるものとする。
【発明の概要】
【発明が解決しようとする課題】
【００１２】
本発明の狙いは、公知のアイロン台の上面加熱装置について上述した問題を解決することのできるアイロン台の上面加熱装置を提供することにある。
【００１３】
このような狙いのもと、本発明の目的は、軽量で既知のタイプのアイロン台にも容易に取り付けられるアイロン台のアイロン上面加熱装置を提供することにある。
【００１４】
本発明のもう１つの目的は、既知のタイプの加熱装置より効果的で効率のよい加熱装置を提供することにある。
【００１５】
本発明の別の目的は、既知のタイプの加熱装置より低い熱分散の加熱装置を提供することにある。
【００１６】
本発明のさらに別の目的は、作動に必要なエネルギー消費を抑制可能な装置を提供することにある。
【００１７】
本発明のさらに別の目的は、既知のシステム及び技術を用いて実施することができ、且つ低コストで実施することができるアイロン台のアイロン上面加熱装置を提供することにある。
【課題を解決するための手段】
【００１８】
このような狙い、これらの目的、及び以下により明らかになるであろう他の目的を達成するため本発明のアイロン台の上面加熱装置は、アイロン台の上部アイロン面に取り付けられる可撓性のある平板部材を備え、前記可撓性のある平板部材は、その主要面のうち少なくとも１つの面の少なくとも一部に作用するように配置された加熱手段を備えることを特徴とする。
【００１９】
好ましくは前記装置は、アイロン台の上面に前記可撓性のある平板部材を取り外し可能に迅速に固定する固定手段を備える。
【００２０】
本発明のさらなる特徴及び利点は、限定しない例として添付図面に図示した本発明に係る装置の５つの好ましいが限定されない実施形態の説明からより明らかになるであろう。
【図面の簡単な説明】
【００２１】
【図１】本発明の第１実施形態に係る装置を部分的に分解して示す斜視図である。
【図２】本発明の第１実施形態に係る装置を分解して示す概略断面図である。
【図３】本発明に係る装置の断面図である。
【図４】本発明の第２実施形態に係る装置を分解して示す概略断面図である。
【図５】本発明の第３実施形態に係る装置を部分的に分解して示す斜視図である。
【図６】図５の実施形態の概略断面図である。
【図７】本発明の第４実施形態に係る装置の断面図である。
【図８】本発明の第５実施形態に係る装置の断面図である。
【発明を実施するための形態】
【００２２】
図に示すように、本発明の第１実施形態に係るアイロン台の上面加熱装置１０は、参照番号１０で表される。
【００２３】
この加熱装置１０は、一般的なアイロン台１３の上面１２に載置するように形成された可撓性のある平板部材１１を備える。
【００２４】
本発明の第１実施形態において、可撓性のある平板部材１１はフランネルによって、即ちプラッシュ生地のシートによって形成される。
【００２５】
この可撓性のある平板部材１１は、その主要面１１ａ、１１ｂの少なくとも１つの少なくとも一部に作用するように配置された加熱手段１４を備える。
【００２６】
この装置１０の第１実施形態において、加熱手段１４は、使用状態において上面１１ａにわたって配置される、それ自体は公知のタイプの電気加熱ケーブルで構成される。
【００２７】
図１に示すように、電気加熱ケーブル１５は例えば曲がりくねった状態で配置される。
【００２８】
本発明の別の実施形態において、加熱ケーブルの代わりに、それ自体は公知のタイプの可撓性のある平らな抵抗素子が設けられる。
【００２９】
なお、加熱手段１４は加熱ケーブル１５及び上述した可撓性のある平らな抵抗素子と同等の全ての部材を含むことができる。
【００３０】
また、本発明に係る装置１０は、アイロン台に対して可撓性のある平板部材の迅速且つ取り外し可能な固定を行う固定手段も備える。
【００３１】
本発明の限定されない例を意図する本発明の第１実施形態において、上記の取り外し可能な迅速且つ取り外し可能な固定を行う固定手段はカバー１６からなり、カバー１６は、アイロン台上面１２の下方へ位置する伸縮性のある縁取り部材１７を有し、この縁取り部材１７が緊張状態でカバー１６をアイロン台上面１２に固定すると共に、加熱手段１４を有する平板部材１１の位置を安定させる。
【００３２】
加熱手段１０を取り外すためには、伸縮性のある縁取り部材１７のところでカバー１６を十分に保持し、アイロン台上面１２からカバー１６をはぎ取るように縁取り部材１７を引き延ばせばよい。
【００３３】
図４に断面を概略的に示し、参照番号１１０で表される本発明の第２実施形態に係る装置において、加熱手段１１４、例えば加熱ケーブル１１５は可撓性のある平板部材１１１の下面１１１ｂに配置される。
【００３４】
このような配置とすることにより、使用状態におけるカバー１１６のアイロン面の平坦性が改善される。
【００３５】
図５及び図６は、参照番号２１０で表される本発明の第３実施形態に係る加熱装置を示している。
【００３６】
第３実施形態において、可撓性のある平板部材２１１は、下面２１１ｂに加熱手段２１４を有しており、同様の形状を有して第１平板部材２１１とアイロン台上面２１２との間に介挿される可撓性のある第２平板部材２２０と組み合わされることにより、一般的に金属からなるアイロン台上面２１２自体に向けての加熱手段の断熱性を改善する。
【００３７】
従って、加熱ケーブル２１５または他の同様の部材は、例えばフランネルとすることが可能な可撓性のある２つの平板部材間に挟持される。
【００３８】
なお、第２平板部材２２０は、必要性及び要求によって他の類似または同等の部材から作製されることもできる。
【００３９】
第１平板部材２１１及び第２平板部材２２０を含むサンドイッチ構造体は、カバー２１６によってアイロン台上面２１２に対向して保持される。
【００４０】
図７に参照番号３１０で示される本発明の第４実施形態に係る装置において、加熱手段３１４として、例えば電気加熱ケーブル３１５を有する平板部材３１１はカバー３１６内、即ちアイロン台上面３１２と対向するように設けられたカバー３１６の面に固定される。
【００４１】
このようにして、ユーザは、カバーと１つのフランネルとを備える本発明の第１実施形態のような２つの部材、及びカバーと２つのフランネルとを備える本発明の第３実施形態のような３つの部材の代わりに、１つの部材であるカバー３１６のみを取り扱えばよい。
【００４２】
図８に概略を示し、参照番号４１０で表される本発明の第５実施形態に係る加熱装置において、加熱手段４１４は可撓性のある平板部材４１１と一体化されており、この平板部材４１１は、例えば加熱ケーブル４１５または他の類似及び同等の加熱部材上に成型または当該加熱部材を覆って成型されるプラスチック材料で作製することができる。
【００４３】
なお、一般的に加熱手段１４、１１４、２１４、及び３１４は裁縫、加熱プレス、超音波溶接、接着結合等の中から選択された少なくとも１つの方法によって可撓性のある平板部材に固定することができる。
【００４４】
加熱手段は、低エネルギー消費型であるのが好ましい。
【００４５】
本発明が意図した狙い及び目標を完全に達成することが実際に判った。
【００４６】
特に、本発明では、伸縮性のある縁取り部材１７を有するカバー１６により、様々な寸法のアイロン台上面に適合させることができるので、公知のアイロン台にも装着可能な軽量の加熱装置が得られ、且つ、電気加熱ケーブル１５、及び一般的には加熱手段１４を可撓性のある平板部材１１に分散配置したことにより、アイロン面３０の全面にわたり均一な加熱を実現することができる。
【００４７】
さらに、本発明では、アイロン面３０に加熱手段１４が近接することにより、公知の加熱装置よりも熱の拡散が低減され、かつ低エネルギー消費の加熱手段１４の採用したことで公知の加熱装置より効果的で効率のよい装置が得られる。
【００４８】
さらに、本発明により、装置は簡単な取り扱い説明のみですみ、アイロンが生成する湿気がカバー、若しくはフランネル、またさらに悪いことにはアイロンをかけられる衣類に留まるのを防ぐことによってアイロン作業を楽にする。
【００４９】
さらに、本発明では、既存のシステムや技術を用いて、低コストでアイロン台上面の加熱を行うことが可能な装置が得られる。
【００５０】
このように考案された本発明は様々な変更や変形を行うことが可能であり、それらの全ては添付した特許請求の範囲に含まれる。さらに、詳細な構成の全ては他の技術的に同等の部材によって代替されてもよい。
【００５１】
使用する材料や、特定されない寸法及び形状については、必要性及びその時点の技術に応じて適宜定めることができる。
【図１】
2013085752.tif 000003
【図２】
2013085752.tif 000004
【図３】
2013085752.tif 000005
【図４】
2013085752.tif 000006
【図５】
2013085752.tif 000007
【図６】
2013085752.tif 000008
【図７】
2013085752.tif 000009
【図８】
2013085752.tif 000010
【外国語明細書】
[TITLE OF THE INVENTION]
HEATING DEVICE FOR THE TOP OF AN IRONING BOARD
[BACKGROUND OF THE INVENTION]
The present invention relates to a heating device for the ironing top of an ironing board.
Nowadays there are many known heating devices for the ironing top of an ironing board.
Heating the ironing top rapidly evaporates the humidity that may penetrate the garment being ironed which is sometimes struck by a jet of steam or lightly sprayed with water by other means external to the iron, such as a spray bottle, an asperser, or other similar means.
Indeed, the steam, if emitted in excessive quantities, or if sprayed on a part of a garment being ironed that is far from the heat of the iron, cools and dampens or wets the garment being ironed in a way that is entirely undesired.
The systems for heating an ironing top are often of the electric type, and sometimes of the fluid type.
The known systems have the common characteristic of being integrated within the structure of the ironing top, or stably fixed to the top or bottom thereof.
The known systems, although effective, make the ironing board, meaning the object in its entirety comprising ironing top and a supporting frame which can generally be folded flat for minimal encumbrance, very heavy and inconvenient to transport.
Moreover, producing such an ironing board with the ironing top heating system integrated is much more complex and and expensive than making a normal ironing board.
Another drawback of the known heating devices is constituted by the fact that the heating layer is generally under the ironing top, i.e. under the plate-like element that forms the rigid support surface against which the iron is pressed to perform the ironing.
In this way the heating layer is actually located relatively far from the garment being ironed, and its efficiency is reduced by the interposition of layers with low thermal conductivity between the heating layer and the garment being ironed.
A further drawback of the known heating devices for an ironing top is constituted by the fact that if, as is generally the case, the ironing top is constituted by a plate-like element made of metal, and its supporting structure is also made of metal, then the ironing top itself and the parts of the frame that support it produce a thermal inertia that retains and diffuses the heat emitted by the heating means, thus wastefully dispersing it and also heating parts of the ironing board which may remain hot for a long time, making the manageability of the ironing board by a user problematic into the bargain.
[SUMMARY OF THE INVENTION]
The aim of the present invention is to provide a heating device for the ironing top of an ironing board, which is capable of overcoming the above-mentioned drawbacks of known types of heating devices for the ironing top of an ironing board.
Within this aim, an object of the invention is to provide a heating device for the ironing top of an ironing board which is lightweight and easy to install also on ironing boards of the known type.
Another object of the invention is to provide a device that is more effective and efficient than known types of heating devices.
Another object of the invention is to provide a heating device that has lower thermal dispersion than the known types of heating devices. 
Another object of the invention is to provide a device the operation of which requires a limited energy expenditure.
Another object of the invention is to provide a heating device for the ironing top of an ironing board, that can be implemented using known systems and technologies, and at low cost.
This aim, as well as these and other objects which will become better apparent hereinafter, are achieved by a heating device for the top of an ironing board, characterized in that it comprises a flexible flat element, to be associated with an ironing top of an ironing board, said flexible flat element being provided with heating means, which are arranged so as to affect at least part of at least one of its main surfaces.
Advantageously, the device comprises means for the quick and reversible fixing of the flexible flat element to an ironing top of an ironing board.
Further characteristics and advantages of the invention will become better apparent from the description of five preferred, but not exclusive, embodiments of the device according to the invention, illustrated by way of non-limiting example in the accompanying drawings, wherein:
[BRIEF DESCRIPTION OF THE DRAWINGS]
Figure 1 is a partially exploded perspective view of the device according to the invention in a first embodiment thereof;
Figure 2 is an exploded cross-sectional, schematic view of the device according to the invention in the first embodiment thereof;
Figure 3 is a cross-sectional view of the device according to the invention;
Figure 4 is an exploded, cross-sectional, schematic view of the device in a second embodiment thereof;
Figure 5 is a partially exploded perspective view of the device according to the invention in a third embodiment thereof;
Figure 6 is a cross-sectional, schematic view of the embodiment in Figure 5;
Figure 7 is a cross-sectional view of a fourth embodiment of the device according to the invention;
Figure 8 is a cross-sectional view of a fifth embodiment of the device according to the invention.
[DETAILED DESCRIPTION OF THE PREFERRED EMBODIMENT]
With reference to the figures, a heating device 10 for the ironing top of an ironing board, according to the invention, is indicated in its first embodiment with the reference numeral 10.
This heating device 10 comprises a flexible flat element 11, shaped to address an ironing top 12 of a generic ironing board 13.
In this first embodiment of the invention, the flexible flat element 11 is constituted by a flannel, i.e., by a sheet of plush cloth. 
This flexible flat element 11 is provided with heating means 14, which are positioned so as to affect at least part of at least one of its main surfaces 11a and 11b.
In this first embodiment of the device 10, the heating means 14 are constituted by an electric heating cable 15, of a type that is known per se, distributed over the top surface, in a configuration of use, 11a.
The heating cable 15 is arranged for example in a coil as shown in Figure 1.
In a different embodiment of the invention, instead of the heating cable there is a flat flexible resistive element, also of a type that is known per se.
It should be noted that the heating means 14 can also comprise all elements that are equivalent to the heating cable 15 and to the above-mentioned flat flexible resistive elements.
The device 10 according to the invention also comprises means for the quick and reversible fixing of the flexible flat element to an ironing board.
In the first embodiment of the invention, which is intended for the purposes of non-limiting example of the invention, the quick and reversible fixing means are constituted by a cover 16, provided with an elasticized border 17 adapted to arrange itself below the ironing top 12 and there to keep the cover 16 under tension and stabilise the position of the flat element 11 with the heating means 14.
In order to remove the heating device 10 it is sufficient to take hold of the cover 16 by the elasticized border 17, and stretch the border so as to be able to slip the cover 16 off the ironing top 12.
In a second embodiment of the device according to the invention, shown schematically by the cross-section in Figure 4 and indicated therein with the reference numeral 110, the heating means 114, i.e. for example the heating cable 115, are arranged on the lower surface 111b of the flexible flat element 111.
In this position the planarity of the ironing surface of the cover 116, in a configuration of use, is improved.
Figures 5 and 6 show the heating device according to a third embodiment of the invention, indicated therein with the reference numeral 210.
In the third embodiment, the flexible flat element 211, which carries the heating means 214 on its lower surface 211b, is associated with a second flexible flat element 220, shaped likewise and adapted to be interposed between the first flat element 211 and the ironing top 212, so as to improve the thermal insulation of the heating means towards the ironing top itself, which is generally made of metal. 
The heating cable 215, or other similar element, is therefore sandwiched between the two flexible flat elements, which, for example, can both be flannels.
It should be noted that the second flat element 220 can also be made from other, similar and equivalent materials, according to necessity and requirements.
The sandwich comprising the first flat element 211 and the second flat element 220 is held against the ironing top 212 by the cover 216.
In a fourth embodiment of the device according to the invention, indicated with the reference numeral 310 in Figure 7, the flat element 311 with the heating means 314, i.e. for example the electric heating cable 315, is fixed inside the cover 316, i.e. on the surface designed to face the ironing top 312.
In this way, advantageously a user has to handle one element only, the cover 316, instead of two elements, as in the first embodiment of the invention, which provides the cover and one flannel, or three elements, as in the third embodiment of the invention which provides the cover and two flannels. 
In a fifth embodiment of the heating device according to the invention, which is schematically shown in Figure 8 and indicated therein with the reference numeral 410, the heating means 414 are integrated in the flexible flat element 411, which for example can be made of plastic material molded or overmolded on the heating cable 415 or other similar and equivalent heating element.
It should be noted that in general the heating means 14, 114, 214 and 314 can be fixed to the flexible flat element that supports them by at least one method selected among sewing, hot-pressing, ultrasonic welding, adhesive bonding and the like.
The heating means are preferably of the low energy consumption type.
In practice it has been found that the invention fully achieves the intended aim and objects.
In particular, with the invention a heating device is provided for the ironing top of an ironing board, which is lightweight and easy to install also on ironing boards of the known type, thanks to the ability of the cover 16, which is provided with an elasticized border 17, to adapt to ironing tops of different dimensions, and by thanks to the distribution of the electric heating cable 15, and of the heating means 14 in general, which are distributed on the flexible flat element 11 so as to achieve a heating that is as uniform as possible over all the ironing surface 30.
Moreover, with the invention a device is provided that is more effective and efficient than known heating devices, thanks to the proximity of the heating means 14 to the ironing surface 30, and therefore having a lower dispersion of heat than known heating devices, and thanks to the adoption of heating means 14 with low energy consumption. 
Furthermore, with the invention a device is provided the operation of which requires only simple instruction, and which facilitates the ironing process by preventing the humidity produced by the iron from stagnating in the cover, in the flannel or, worse, in the garment being ironed.
Furthermore, with the invention a device is provided for heating the ironing top of an ironing board, that can be implemented using known systems and technologies, and at low cost.
The invention, thus conceived, is susceptible of numerous modifications and variations, all of which are within the scope of the appended claims. Moreover, all the details may be substituted by other, technically equivalent elements.
In practice the materials employed, as well as the contingent dimensions and shapes, may be any according to requirements and to the state of the art.
1. A heating device (10) for the top of an ironing board, characterized in that it comprises a flexible flat element (11; 111; 211; 220; 311; 411), to be associated with a top (12) of an ironing board (13), provided with heating means (14; 114; 214; 314; 414) arranged so as to affect at least part of at least one of its main surfaces (11a, 11b).
2. The heating device according to claim 1, characterized in that it comprises means for the quick and reversible fixing of said flexible flat element (11) to an ironing top (12).
3. The heating device according to claim 1 or 2, characterized in that said flexible flat element (11) is constituted by a flannel.
4. The heating device according to one of claims 1 to 3, characterized in that said heating means (14) are constituted by an electric heating cable (15), or by a flat flexible resistive element, or by other similar and equivalent elements.
5. The heating device according to one of claims 2 to 4, characterized in that said quick and reversible fixing means are constituted by a cover (16) provided with an elasticized border (17) adapted to be arranged below the ironing top (12).
6. The heating device according to one of claims 1 to 5, characterized in that a second flexible flat element (220) is associated with the flexible flat element (211) that supports the heating means (214), is shaped likewise and is adapted to be arranged so that the heating means (214) are sandwiched between the two flexible flat elements (211, 220).
7. The heating device according to one of claims 1 to 6, characterized in that said flat element (311) with the heating means (314) is fixed inside a cover (316).
8. The heating device according to one of claims 1 to 7, characterized in that the heating means (414) are integrated in the flexible flat element (411).
9. The heating device according to one of claims 1 to 8, characterized in that said heating means (14, 114, 214, 314) are fixed to the flexible flat element that supports them by at least one method selected among sewing, hot-pressing, ultrasonic welding, adhesive bonding and the like.
10. The heating device according to one of claims 1 to 9, characterized in that the heating means are of the low-consumption type.
1.      Abstract
A heating device (10) for the ironing top of an ironing board, comprising a flexible flat element (11), to be associated with a top (12) of an ironing board (13), provided with heating means (14) arranged so as to affect at least part of at least one of its main surfaces (11a, 11b). Advantageously, the device (10) comprises means for the quick and reversible fixing of the flexible flat element (11) to an ironing top (12).
2.       Representative Drawing     Figure 1
【図１】
2013085752.tif 000011
【図２】
2013085752.tif 000012
【図３】
2013085752.tif 000013
【図４】
2013085752.tif 000014
【図５】
2013085752.tif 000015
【図６】
2013085752.tif 000016
【図７】
2013085752.tif 000017
【図８】
2013085752.tif 000018